(57)【要約】【課題】携帯型電子機器とは別体に形成された防犯ブザー機能及び／又はライト機能を備えた携帯型電子機器用アタッチメントを携帯型電子機器に着脱自在に装着することで、防犯ブザー機能やフラッシュ以外のライトアップ機能を備えていない既存の携帯型電子機器であっても、低コストで簡単に上記機能を得ることができる構成が簡易な携帯型電子機器用アタッチメントを提供する。【解決手段】携帯型電子機器に着脱自在なアタッチメントのアタッチメント本体に、防犯ブザー又は／及びライトを配設して構成した。【選択図】      図１
2005020285.tif 000002
【特許請求の範囲】
【請求項１】
携帯型電子機器に着脱自在なアタッチメントであって、該アタッチメント本体には、防犯ブザー又は／及びライトが配設されていることを特徴とする携帯型電子機器用アタッチメント。
【請求項２】
前記アタッチメント本体に配設された防犯ブザー又は／及びライトは、携帯型電子機器の電源により作動可能であることを特徴とする請求項１に記載の携帯型電子機器用アタッチメント。
【請求項３】
前記アタッチメント本体に配設された防犯ブザー又は／及びライトは、アタッチメント本体内に配設された電源により作動可能であることを特徴とする請求項１に記載の携帯型電子機器用アタッチメント。
【請求項４】
前記携帯型電子機器は、携帯電話機、ＰＨＳ，携帯型コンピュータ機器、ポケットベル、携帯用カセットテープレコーダ、携帯用ＣＤプレーヤ、携帯用ＭＤレコーダ、ＰＤＡ、電子手帳、リモコンのいずれかであることを特徴とする請求項１乃至請求項３のいずれかに記載の携帯型電子機器用アタッチメント。
【請求項５】
前記携帯型電子機器は、撮像手段を備えて構成されていることを特徴とする請求項４に記載の携帯型電子機器用アタッチメント。
【請求項６】
前記撮像手段を備えた携帯型電子機器又はアタッチメントには、シャッターボタン又はアタッチメント側スイッチと、該シャッターボタン又はアタッチメント側スイッチをオンすると作動するタイマー回路と、このタイマー回路が作動し一定時間経過後に掛け声を発生させる音声回路と、この音声回路により掛け声が発せられた後、一定時間経過後、撮像手段のシャッターを作動させて撮像するシャッター作動回路と、を含んで構成されていることを特徴とする請求項４に記載の携帯型電子機器用アタッチメント。
【請求項７】
前記ライトは、携帯型電子機器に固着される基台部と、この基台部から延設された可撓軸部と、この可撓軸部の先端部に配設されたライトと、を有して構成されていることを特徴とする請求項１乃至請求項６のいずれかに記載の携帯型電子機器用アタッチメント。
【請求項８】
前記ライトは、そのカバー部が、キャラクター或はキャラクターを模した外観若しくは動物、植物、幾何学形状を呈するように構成されていることを特徴とする請求項１乃至請求項７のいずれかに記載の携帯型電子機器用アタッチメント。
【請求項９】
前記ライトを、複数のＬＥＤで構成したことを特徴とする請求項１乃至請求項８のいずれかに記載の携帯型電子機器用アタッチメント。
【請求項１０】
前記複数のＬＥＤで構成されたライトは、全灯状態と待機状態と消灯状態をスイッチにより選択可能であり、待機状態のときには、複数のＬＥＤの１又は数個を点灯させるように構成されていることを特徴とする請求項９に記載の携帯型電子機器用アタッチメント。
【請求項１１】
前記ライトのカバー部の背面部を、鏡面仕上げとしたことを特徴とする請求項１乃至請求項１０のいずれかに記載の携帯型電子機器用アタッチメント。
【請求項１２】
前記ライトは、携帯型電子機器に固着される基台部と、この基台部から延設された可撓性を有する複数本の光ファイバ束で構成されていることを特徴とする請求項１乃至請求項８又は請求項１１のいずれかに記載の携帯型電子機器用アタッチメント。
【請求項１３】
前記アタッチメント本体は、基台部の下端部から延設された可撓軸部と、この可撓軸部の先端部に形成されたアンテナ固定部と、を有して構成されていることを特徴とする請求項１乃至請求項８又は請求項１１のいずれかに記載の携帯型電子機器用アタッチメント。
【請求項１４】
前記アンテナ固定部のパイプ状に形成された下端部には、割り溝が形成されていることを特徴とする請求項１３に記載の携帯型電子機器用アタッチメント。
【請求項１５】
前記アンテナ固定部の下端部には、密着性を有するゴム或は軟質プラスチックが内装されていることを特徴とする請求項１４に記載の携帯型電子機器用アタッチメント。
【請求項１６】
前記可撓軸部をアンテナとし、アンテナ固定部の下端部を携帯型電子機器のアンテナ取り付け部に直接取り付け可能に構成したことを特徴とする請求項１３に記載の携帯型電子機器用アタッチメント。
【請求項１７】
前記アタッチメント本体には、特定電話番号の記憶回路が配設されており、防犯ブザーが一定時間作動した後は、自動的に上記記憶回路に記憶されている電話番号に、当該携帯型電子機器所有者の情報や撮影された画像等の緊急情報を送信可能であることを特徴とする請求項１乃至請求項１６のいずれかに記載の携帯型電子機器用アタッチメント。
【請求項１８】
前記アタッチメントを携帯型電子機器に装着する１個と、他の任意のものに装着する１個の合計２個一組とし、一方から他方の防犯ブザーを作動させることができるように相互通信可能に構成したことを特徴とする請求項１乃至請求項１７のいずれかに記載の携帯型電子機器用アタッチメント。
【請求項１９】
前記アタッチメントを携帯型電子機器に装着する１個と、他の任意のものに装着する１個の合計２個一組とし、これらが一定距離離間したときに双方の防犯ブザーを自動的に作動させることができるように相互通信可能に構成したことを特徴とする請求項１乃至請求項１７のいずれかに記載の携帯型電子機器用アタッチメント。
【請求項２０】
前記防犯ブザーとライトの作動を制御するスイッチをアタッチメント本体にスライド自在に配置し、該スイッチは、スライド方向に沿って、全ての作動をオフの状態に保持するＯＦＦ位置、ライトを省電力状態で点灯させる待機位置、ライトを全灯状態に点灯させるライト位置、防犯ブザーを鳴らすブザー位置、ライトをフラッシュ状態で連続的に点滅させると同時に防犯ブザーを鳴らすブザー／フラッシュ位置へとスライド可能に構成されていることを特徴とする請求項１乃至請求項１９のいずれかに記載の携帯型電子機器用アタッチメント。
【請求項２１】
前記アタッチメント本体は、携帯用ストラップに取り付け可能に形成されていることを特徴とする請求項１乃至請求項６又は請求項８乃至請求項１１或は請求項１７乃至請求項２０のいずれかに記載の携帯型電子機器用アタッチメント。
【発明の詳細な説明】
【０００１】
【発明の属する技術分野】
この発明は、携帯型電子機器、例えば、携帯電話機、ＰＨＳ，携帯型コンピュータ機器、ポケットベル、携帯用カセットテープレコーダ、携帯用ＣＤプレーヤ、携帯用ＭＤレコーダ、ＰＤＡ、電子手帳、リモコン等に着脱自在に装着可能な防犯ブザー機能を備え、かつ、ライト機能も簡単に付加することができる携帯型電子機器用アタッチメントに関する。
【０００２】
【従来の技術】
近年における携帯型電子機器、とりわけ携帯電話機の普及率が目覚しく、最近では、携帯電話機にカメラやデジタルカメラを一体化したものが登場するに至って、その応用分野や利用分野が飛躍的に増加拡大している。
【０００３】
このような携帯電話機の利便性は、手軽に電話をかけたり、メールで伝言のやりとりができることは勿論、カメラ機能を備えた携帯電話機にあっては、撮影した画像も送ることができることである。このため、携帯電話機の利用者は、携帯電話機をスーツ等のポケットに入れたりする等、すぐ手が届く範囲に携行しているのが現状である。
【０００４】
一方、近年では、子供や女性を狙ったひったくり等の凶悪な犯罪が続発しており、都市化現象による他人に対する無関心な傾向も増大する中、これらの身に降りかかる犯罪に対しては自分で防衛する他はなく、非力な子供や女性では有効に防止することができない。
【０００５】
このため、従来では、特許文献１に示すように、警報ブザーを備えた携帯電話機が提案されている。
【０００６】
【特許文献１】
特開２００３−６０７５２号
【０００７】
【発明が解決しようとする課題】
しかしながら、上記従来のブザー付き携帯電話機は、いつも携行している携帯電話機で防犯ブザーを鳴らすことができるので、子供や女性でも簡単に非常時に犯罪に対して対抗できる、という利点は有しているものの、現状において既に販売されている多くの携帯電話機には、このような防犯ブザー機能を備えたものは殆どなく、上記利点を享受するためには、防犯ブザー付き携帯電話機に買い換えなければならず、コストが嵩む、という問題を有していた。
【０００８】
また、従来のカメラ機能付き携帯電話機にあっては、夜間や暗い場所で撮影する場合、フラッシュにより被写体を照らして撮影しているのが現状であり、より鮮明な撮影画像を得るためには、上記フラッシュの光量では不足するため、ライトアップしなければならず、このためには、別体のライトやライトスタンド、バッテリー等を別途用意しなければならないため、仕掛けが大掛かりとなる、いう問題を有していた。
【０００９】
この発明は、かかる現状に鑑み創案されたものであって、その目的とするところは、携帯電話機等の携帯型電子機器とは別体に形成された防犯ブザー機能及び／又はライト機能を備えた携帯型電子機器用アタッチメントを携帯型電子機器に着脱自在に装着することで、防犯ブザー機能やフラッシュ以外のライトアップ機能を備えていない既存の携帯型電子機器であっても、低コストで簡単に上記機能を得ることができる構成が簡易な携帯型電子機器用アタッチメントを提供しようとするものである。
【００１０】
【課題を解決するための手段】
上記目的を達成するため、請求項１に記載の携帯型電子機器用アタッチメントにあっては、携帯型電子機器に着脱自在なアタッチメントのアタッチメント本体に、防犯ブザー又は／及びライトを配設して構成したことを特徴とするものである。
【００１１】
この発明によれば、防犯ブザー機能やフラッシュ以外のライトアップ機能を備えていない既存の携帯型電子機器であっても、低コストで簡単に防犯ブザー機能及び／又はライト機能を得ることができる。
【００１２】
この場合、前記アタッチメント本体に配設された防犯ブザー又は／及びライトの作動電源は、請求項２に記載したように、携帯型電子機器の電源を用いることができる。
【００１３】
この発明によれば、アタッチメント側に防犯ブザー用電源やライト用電源が不要となるため、アタッチメント自体の構造を簡略化して軽量化することができ、コストダウンを図ることができる。
【００１４】
請求項３に記載の発明は、前記アタッチメント本体に配設された防犯ブザー又は／及びライトの作動用電源を、アタッチメント本体内に配設された電池やバッテリー等の電源を用いることを特徴とするものである。
【００１５】
この発明によれば、携帯型電子機器の電源を用いないので、アタッチメントを、携帯型電子機器とは離して使用することも可能であり、また、携帯型電子機器の電力低下を防止することができる。
【００１６】
尚、この発明に係るアタッチメントが適用可能な携帯型電子機器は、請求項４に記載したように、携帯電話機、ＰＨＳ、携帯型コンピュータ機器、ポケットベル、携帯用カセットテープレコーダ、携帯用ＣＤプレーヤ、携帯用ＭＤレコーダ、ＰＤＡ、電子手帳、リモコンのいずれにも適用することができる。
【００１７】
勿論、この発明にあっては、上記携帯型電子機器が、請求項５に記載したように、撮像手段を備えて構成されているものであっても構わない。
【００１８】
この場合、撮像手段を備えた携帯型電子機器又はアタッチメントには、請求項６に記載したように、前記撮像手段を備えた携帯型電子機器又はアタッチメントには、シャッターボタン又はアタッチメント側スイッチと、該シャッターボタン又はアタッチメント側スイッチをオンすると作動するタイマー回路と、このタイマー回路が作動し一定時間経過後に掛け声を発生させる音声回路と、この音声回路により掛け声が発せられた後、一定時間経過後、撮像手段のシャッターを作動させて撮像するシャッター作動回路と、を含んで構成するのが望ましい。
【００１９】
この発明によれば、シャッターボタンを押すことで、撮影開始前に「ハイ、チーズ」や「１＋１は」といった撮影時に用いられる慣用語を携帯型電子機器が自動的に発するので、撮影の最良のタイミングを捕らえることが容易となる。
【００２０】
この発明において、前記ライトは、請求項７に記載したように、携帯型電子機器に固着される基台部と、この基台部から延設された可撓軸部と、この可撓軸部の先端部に配設されたライトと、を有して構成されていることを特徴とするものである。
【００２１】
このようにライトを構成することで、光を所望の角度に簡単にセットすることができるので、所望の鮮明な画像を撮影することができる。
【００２２】
また、この発明にあっては、前記ライトのカバー部を、請求項８に記載したように、キャラクター或はキャラクターを模した外観若しくは動物、植物、幾何学形状を呈するように形成して楽しむことができる。
【００２３】
尚、この発明にあっては、前記ライトを、請求項９に記載したように、複数のＬＥＤで構成するのが望ましい。ＬＥＤを光源として使用することで消費電力を抑えることができ、また、任意の光彩を得ることもできる。
【００２４】
また、この発明にあっては、前記複数のＬＥＤで構成されたライトを、請求項１０に記載したように、全灯状態と待機状態と消灯状態をスイッチにより選択可能に構成し、待機状態のときには、複数のＬＥＤの１又は数個を点灯させることで、バックの中等に携帯型電子機器を収納していても容易に探し出すことができるように構成するのが望ましい。
【００２５】
さらに、この発明にあっては、請求項１１に記載したように、前記ライトのカバー部の背面部を、鏡面仕上げとすることで、ライトの光を全反射させて光を一定方向へと集光照射させるように構成するのが望ましい。
【００２６】
この場合、上記鏡面仕上げ部を、手鏡として利用することも可能である。尚、光を顔の下方から照射した場合には、顔の輪郭が鮮明に映し出されることが知られており、特に、女性の購買力を高める効果が得られる。
【００２７】
また、この発明にあっては、前記ライトを、請求項１２に記載したように、携帯型電子機器に固着される基台部と、この基台部から延設された可撓性を有する複数本の光ファイバ束で構成することもできる。
【００２８】
この場合、小さな光源であっても、これを殆ど減光させることなく目的の方向へ集光させて照射することができ、また、光ファイバ束全体を光らせることで、アクセサリーとしても楽しむことも可能である。
【００２９】
尚、この発明において、前記アタッチメント本体は、請求項１３に記載したように、基台部の下端部から延設された可撓軸部と、この可撓軸部の先端部に形成されたアンテナ固定部と、を有して構成することもできる。
【００３０】
この場合、特にライトが携帯型電子機器の上側から照らされるので、日常的な照明角度を得ることができ、自然で鮮明な画像を得ることができる。
【００３１】
また、この発明にあっては、請求項１４に記載したように、上記アンテナ固定部の下端部をパイプ状に形成し、該下端部には、割り溝を形成することで、着脱作業を簡易に行うことができる。
【００３２】
さらに、この発明にあっては、請求項１５に記載したように、上記アンテナ固定部の下端部に、密着性を有するゴム或は軟質プラスチックを内装することで、アタッチメントとアンテナとの密着性を高め、不用意な抜けを確実に防止することができ、アタッチメントの装着状態をより強固なものとすることができる。
【００３３】
勿論、この発明にあっては、アタッチメントをアンテナに取り付けた場合に、アンテナの電波受信能力が低下するのを防止するため、請求項１６に記載したように、前記可撓軸部をアンテナとし、アンテナ固定部の下端部を携帯型電子機器のアンテナ取り付け部に直接取り付け可能に構成するのが望ましい。
【００３４】
また、この発明にあっては、請求項１７に記載したように、前記アタッチメント本体に、特定電話番号の記憶回路を配設し、防犯ブザーが一定時間、例えば１５秒程度作動した後は、自動的に上記記憶回路に記憶されている電話番号、例えば１１０番や親・兄弟・友人等の電話番号に、当該携帯型電子機器所有者の情報や撮影された画像等の緊急情報を送信するように携帯型電子機器を作動制御することを特徴とするものである。
【００３５】
このように構成されたアタッチメントは、請求項１８に記載したように、携帯型電子機器に装着する１個と、他の任意のもの、例えば、バックやペット等に装着する１個の合計２個を一組とし、一方から他方の防犯ブザーを作動させることができるように相互通信可能に構成して使用することができる。
【００３６】
このように使用することで、バックがひったくられた場合やペットを見失った場合、他方のアタッチメントのブザーを鳴らすことで、目的物の所在を確認することができ、また、周囲の人々に注意を喚起させることができる。
【００３７】
勿論、この発明にあっては、請求項１９に記載したように、前記アタッチメントを携帯型電子機器に装着する１個と、他の任意のものに装着する１個の合計２個を一組とし、これらが一定距離離間したときに双方の防犯ブザーを自動的に作動させることができるように相互通信可能に構成することもできる。
【００３８】
この場合には、黙っていても他方のアタッチメントが一定範囲以上離れると防犯ブザーが鳴り、目的物の所在を自然に確認することができ、また、周囲の人々に注意を喚起させることができる。
【００３９】
尚、この発明にあっては、前記防犯ブザーとライトの作動を制御するスイッチを、請求項２０に記載したように、アタッチメント本体にスライド自在に配置し、該スイッチは、スライド方向に沿って、全ての作動をオフの状態に保持するＯＦＦ位置、ライトを省電力状態で点灯させる待機位置、ライトを全灯状態に点灯させるライト位置、防犯ブザーを鳴らすブザー位置、ライトをフラッシュ状態で連続的に点滅させると同時に防犯ブザーを鳴らすブザー／フラッシュ位置へとスライド可能に構成したことを特徴とするものである。
【００４０】
このように構成することで、非常時には、スイッチをスライド方向に一気にスライドさせることで、フラッシュを連続的に照射して相手の目をくらませることができると同時に、防犯ブザーを鳴らすことで、ひったくり等の凶悪犯罪を有効に防止することができる。
【００４１】
このように構成されてなるアタッチメント本体は、携帯型電子機器本体だけではなく、請求項２１に記載したように、携帯用ストラップに取り付け可能に構成することができる。
【００４２】
【発明の実施の形態】
以下、添付図面に示す実施の一形態例に基づきこの発明を詳細に説明する。
【００４３】
図１は、この発明の実施の一形態例に係る携帯電話機用アタッチメントＡとデジタルカメラ搭載型携帯電話機機Ｂを示しており、本アタッチメントＡのアタッチメント本体１には、防犯ブザー２及びライト３が配設されて構成されている。
【００４４】
この形態例において、前記アタッチメント本体１に配設された防犯ブザー２及びライト３の作動電源は、アタッチメント本体１に着脱自在に装着されてなる公知のボタン型電池或はリチウム電池（図示せず）が用いられる。このように構成することで、本アタッチメント１をデジタルカメラ搭載型携帯電話機機Ｂとは離して使用することも可能となるので、暗い所で車や家のキィ等を探す場合に重宝し、また、デジタルカメラ搭載型携帯電話機機Ｂのバッテリーの電力低下を防止することができる。勿論、この発明にあっては、デジタルカメラ搭載型携帯電話機機Ｂのバッテリー電源を用いることもでき、この場合には、アタッチメント自体の構造を簡略化して軽量化することができ、コストダウンを図ることができる。
【００４５】
デジタルカメラ搭載型携帯電話機機Ｂは、公知のものと同様に構成されており、その概略的な構成を説明すると、デジタルカメラ等の撮像部１０と、この撮像部１０で撮像した画像データ等を一時的に蓄積する記憶回路部（メモリ）（図示せず）と、撮像部１０のシッャタボタン１１が押下されたときに自動的に起動され、例えば、画像をインターネットを介して、例えば１１０番や親・兄弟・友人等のサーバの電話番号に、当該携帯電話機Ｂの所有者の情報や撮影された画像等の緊急情報を発呼して回線接続を行うと共に回線接続が確立した後に前記シャッターボタン押下によって撮像された画像データをパケットに分割して上記サーバ宛に送信する通信部（図示せず）と、通信部の通信モードを切り換えるモード切換部（図示せず）と、マイクと、水晶発振器等のクロックを計数して現在時刻を計数する時刻データ部と、ＧＰＳ（グローバルポジショニングシステム）等の位置測位を行う測位部とを備えて構成されている。マイクと時刻データ部と測位部は、上記記憶回路部に接続されている。
【００４６】
時刻データ部は、シャッターボタンが押下された時刻データを記憶回路部に送出し、シャッターボタンの押下によって撮像され記憶回路部に格納された画像データに時刻データが添付される。また同様に、測位部が計測した自身の経度、緯度の測位データも記憶回路部に送出され、前記画像データに測位データが添付される。
【００４７】
記憶回路部には、例えば１５秒間の音声データを録音できるバッファ領域が設けられ、このバッファ領域には常時、最新１５秒前からの音声データが更新保存されており、シャッターボタンが押下されたとき、押下１５秒前からの音声録音データが前記のバッファ領域から記憶回路部本体メモリに複写され、シャッターボタン押下によって撮像された画像データに添付される。
【００４８】
サーバには、デジタルカメラ搭載型携帯電話機機Ｂから、緊急通信のときに自動送信されてきた画像データ及びその添付データ（時刻データ、測位データ、音声録音データ）を格納する領域が、ランダムアクセス可能に設けることができる。
【００４９】
このサーバの格納データは、所定の手続操作を行うことで、閲覧可能となる。例えば、利用者自身であれば、自宅のパソコンやインターネットアクセスによる知人からの携帯電話機機から、サーバのＵＲＬ（Ｕｎｉｆｏｒｍ  Ｒｅｓｏｕｒｃｅ  Ｌｏｃａｔｏｒ：インターネット上のリソースのロケーションを指し示す記述様式）にアクセスし、そこで目的の画像データ及び添付データを読み出すことができる。
【００５０】
モード切換部は、シャッターボタンが押下されたとき、通常のデジタルカメラ使用モードとするか、あるいは、緊急通報モードのときに、撮影された写真の画像データ及び添付データを所定のサーバに自動送信するかを選択することができるように構成されている。この形態例では、このモード切換部は、アタッチメントＡの防犯ブザー２が一定時間鳴った後、自動的に緊急通報モードに切り換わるように構成されている。
【００５１】
即ち、この形態例では、防犯ブザー２が、例えば、１５秒を鳴ったときに、その間に撮影された画像データは、当該携帯電話機Ｂの所有者情報や時刻或は所在位置等の添付データとともに、警察や特定知人のサーバに自動送信される。
【００５２】
測位部では、ＧＰＳ衛星からの電波を受信して自身の経度、緯度情報を算出し、この測位データを記憶回路部に書き込む。また、時刻データ部は緊急事態が発生した時刻、即ち、防犯ブザー２が、例えば１５秒間鳴った時刻を記憶回路部に書き込む。また、この時刻における１５秒前からの音声録音データをバッファ領域から複写し、画像データに対応付けて記憶回路部に書き込む。
【００５３】
また、上記モード切換部は、防犯ブザー２が一定時間鳴ると、指定する予め決められた電話番号に発呼し、回線接続を実行する。この回線接続は、１秒から２秒程度で可能であり、データを瞬時に送信することができる。
【００５４】
尚、図中符号１２は、液晶表示部（ＬＣＤ表示部）  を示しており、撮影モード時においては、撮影画像を表示するビューファインダとして機能する。
【００５５】
次に、アタッチメントＡは、上記したように、防犯ブザー２とライト３の他に、アタッチメント本体１に配設されたスライドスイッチ４と鏡面部５が配設されて構成されており、また、上記アタッチメント本体１の上部には、携帯電話機Ｂの外部接続端子部（図示せず）に係脱自在な接続部６が一体形成されている。尚、この形態例では、防犯ブザー２とライト３の作動電源である電池の電力を、携帯電話機Ｂのバッテリー電源が不足状態となったときに、これを自動的に補充することができる
【００５６】
防犯ブザー２は、スピーカを具備しており、該スピーカから所定の音量、例えば、１０ｄＢ以上の警報音を発生させることができるように増幅回路を備えて構成されている。
【００５７】
ライト３は、公知の豆電球（図１参照）を用いることもできるが、この形態例では、複数のＬＥＤ（図３参照）で構成するのが望ましい。ＬＥＤを光源として使用することで消費電力を抑えることができ、また、青色、赤色、緑色ＬＥＤを組み合わせることで、任意の光彩を得ることもできる。
【００５８】
このように複数のＬＥＤで構成されたライト３は、図６に示すように、全灯状態（図示例では「ライト」の位置）と待機状態（図示例では「待機」の位置）と消灯状態（図示例では「ＯＦＦ」の位置）をスライドスイッチ４により選択可能に構成されており、待機状態のときには、複数のＬＥＤの１又は数個を点灯させることで、バックの中等に携帯電話機機Ｂを収納していても容易に探し出すことができるように構成されている。このように、本形態例では、上記スライドスイッチ４を、スライド方向に沿って、全ての作動をオフの状態に保持するＯＦＦ位置、ライトを省電力状態で点灯させる待機位置、ライトを全灯状態に点灯させるライト位置までスライド可能に構成すると共に、さらにスライド方向に沿って防犯ブザーを鳴らすブザー位置、ライトをフラッシュ状態で連続的に点滅させると同時に防犯ブザーを鳴らすブザー／フラッシュ位置へとスライド可能に構成されている。
【００５９】
このように構成することで、非常時には、スライドスイッチ４をスライド方向終端部へと一気にスライドさせることができ、これによりフラッシュ（ライト３）を連続的に照射して相手の目をくらませることができると同時に、防犯ブザー２を鳴らすことで、ひったくり等の凶悪犯罪を有効に防止することができる。
【００６０】
さらに、前記ライト３に装着された透明体カバー部７の背面部の内側及び外側は、鏡面仕上げ５されており、この鏡面内側部５の集光湾曲部（図示せず）では、ライトの光を全反射させて光を一定方向へと集光照射させるように構成されている。
【００６１】
また、上記鏡面仕上げ部５の外側は平滑に仕上げて、手鏡として利用することも可能である。尚、図７に示すように、光を顔の下方から照射した場合には、顔の輪郭が鮮明に映し出されることが知られており、特に、女性の購買力を高める効果が得られる。勿論、この発明にあっては、鏡面仕上げに代えて、鏡自体を貼着し、或は、アルミニウム等を貼着する等、鏡として使用することができる公知の各種手段を適用することができる。
【００６２】
尚、この発明にあっては、前記ライト３の透明カバー部７を、図２に示したように、クマ等のキャラクター形状に形成し、或はキャラクターを模した外観若しくは動物、植物、幾何学形状を呈するように形成して楽しむことができる。尚、図２においては、透明カバー部７の形状を図示のように形成した他は、他の構成・作用は図１に示したアタッチメントＡと同様であるので、図面には図１で用いた符号と同一の符号を付して、その詳細な説明をここでは省略する。
【００６３】
図３は、前記アタッチメント本体１とライト３とを可撓性軸部８で連結して構成した場合を示しており、本例では、力を加えて屈曲した状態を保持する公知の可撓性筒部材を用い、ライト３の位置を所望の位置・状態に簡単にセットすることができるように構成した他は、他の構成・作用は図１に示したアタッチメントＡと同様であるので、図面には図１で用いた符号と同一の符号を付して、その詳細な説明をここでは省略する。
【００６４】
図４は、前記ライト３を、アタッチメント本体１の基台部１Ａと、この基台部１Ａから延設された可撓性を有する複数本の光ファイバ３Ａ束で構成し、小さな１つの光源３Ｂからの光を殆ど減光させることなく目的の方向へ集光させて照射することで、光ファイバ３Ａ束全体を光らせ、照明の他にアクセサリーとしても楽しむことができるように構成した他は、他の構成・作用は図１に示したアタッチメントＡと同様であるので、図面には図１で用いた符号と同一の符号を付して、その詳細な説明をここでは省略する。
【００６５】
図５は、本アタッチメントＡを携帯用ストラップＳに取り付け可能に構成した場合を示しており、本例では、透明カバー部７を断面略Ｕ字状に形成すると共に、アタッチメント本体１にストラップＳの紐ＳＡを通し係合させることができるように構成し、かつ、防犯ブザー２及びライト３の作動電源として、携帯電話機Ｂのバッテリー電源を接続部６から取るように構成した他は、他の構成・作用は図１に示したアタッチメントＡと同様であるので、図面には図１で用いた符号と同一の符号を付して、その詳細な説明をここでは省略する。
【００６６】
また、この形態例に係るデジタルカメラ搭載携帯電話機機Ｂでは、図８に示すように、前記シャッターボタン１１をオンすると作動するタイマー回路１３が配設されており、このタイマー回路１３が作動し一定時間、例えば１〜３秒経過後に音声回路１４によって掛け声が発生させられ、この音声回路１４により掛け声が発せられた後、一定時間、例えば、２〜３秒経過後にシャッター作動回路（図示せず）によりシャッター１５が作動して撮像するように構成されている。
【００６７】
従って、シャッターボタン１１を押すと、撮影開始前に「ハイ、チーズ」や「１＋１は」といった撮影時に用いられる慣用語が携帯電話機機Ｂから自動的に発せられるので、撮影の最良のタイミングを捕らえることが容易となる。尚、上記掛け声発生機構は、上記形態例で説明した携帯電話機Ｂ側に設けるのではなく、アタッチメントＡ側に設けてもよい。
【００６８】
図９は、この発明の他の構成例に係るアタッチメントＡを示しており、この他の構成例では、前記アタッチメント本体１は、基台部１Ａの下端部から延設された可撓軸部８Ａと、この可撓軸部８Ａの先端部に形成されたアンテナ固定部９と、から構成されており、このアンテナ固定部９のパイプ状に形成された下端部９Ａには、割り溝９Ｂが形成されており、該割り溝９Ｂによって上記下端部９Ａが拡縮自在となるため、アンテナＤの多少の太細に関係なく、着脱作業を簡易に行うことができる。尚、この形態例では、上記アンテナ固定部９の下端部９Ａに、特に図示はしないが、密着性を有するゴム或は軟質プラスチックを内装したので、アタッチメントＡとアンテナＤとの密着性を高め、不用意な抜けを確実に防止することができ、アタッチメントＡの装着状態をより強固なものとすることができる。
【００６９】
勿論、この発明にあっては、アタッチメントをアンテナに取り付けた場合に、アンテナの電波受信能力が低下するのを防止するため、前記可撓軸部８Ａ自体をアンテナ構造とし、アンテナ固定部９の下端部９Ａを携帯電話機機Ｂのアンテナ取り付け部に直接取り付けることができるように構成するのが望ましい。
【００７０】
このようにアタッチメントＡをアンテナＤに取付可能とすることで、ライト光を携帯電話機機Ｂの上側から照らすことができるため、日常的な照明角度を得ることができ、自然で鮮明な画像を得ることができる。
【００７１】
このように構成されたアタッチメントＡの有効的な使用例を以下に説明する。
【００７２】
即ち、本例では、アタッチメントＡを、携帯電話機機Ｂに装着する１個と、他の任意のもの、例えば、バックやペット等に装着する１個の合計２個を一組とし、一方から他方の防犯ブザー２を作動させることができるように相互通信可能に構成することで、例えば、バックがひったくられた場合やペットを見失った場合、他方のアタッチメントＡのブザー２を鳴らすことで、目的物の所在を確認することができ、また、周囲の人々に注意を喚起させることができる。勿論、この発明にあっては、前記２個一組のアタッチメントＡ，Ａが一定距離離間したときに双方の防犯ブザーを自動的に作動させることができるように相互通信可能に構成し、黙っていても他方のアタッチメントが一定範囲以上離れると防犯ブザーが鳴り、目的物の所在を自然に確認することができ、また、周囲の人々に注意を喚起させることができる。
【００７３】
尚、上記形態例では、この発明をデジタルカメラ搭載型携帯電話機機Ｂ用のアタッチメントＡとして構成した場合を例にとり説明したが、この発明にあってはこれに限定されるものではなく、デジタルカメラを搭載していない携帯電話機機やＰＨＳ、携帯型コンピュータ機器、ポケットベル、携帯用カセットテープレコーダ、携帯用ＣＤプレーヤ、携帯用ＭＤレコーダ、ＰＤＡ、電子手帳、リモコンのいずれにも適用することができる。
【００７４】
【発明の効果】
請求項１に記載の携帯型電子機器用アタッチメント、携帯型電子機器に着脱自在なアタッチメントのアタッチメント本体に、防犯ブザー又は／及びライトを配設して構成したので、防犯ブザー機能やフラッシュ以外のライトアップ機能を備えていない既存の携帯型電子機器であっても、低コストで簡単に防犯ブザー機能及び／又はライト機能を得ることができる。
【００７５】
請求項２に記載の発明は、前記アタッチメント本体に配設された防犯ブザー又は／及びライトの作動電源として、携帯型電子機器の電源を用いるように構成したので、アタッチメント側に防犯ブザー用電源やライト用電源が不要となるため、アタッチメント自体の構造を簡略化して軽量化することができ、コストダウンを図ることができる。
【００７６】
請求項３に記載の発明は、前記アタッチメント本体に配設された防犯ブザー又は／及びライトの作動用電源を、アタッチメント本体内に配設された電池やバッテリー等の電源を用いるように構成し、携帯型電子機器の電源を用いないので、アタッチメントを、携帯型電子機器とは離して使用することも可能であり、また、携帯型電子機器の電力低下を防止することができる。
【００７７】
請求項４に記載の発明は、この発明に係るアタッチメントが適用可能な携帯型電子機器を、携帯電話機、ＰＨＳ、携帯型コンピュータ機器、ポケットベル、携帯用カセットテープレコーダ、携帯用ＣＤプレーヤ、携帯用ＭＤレコーダ、ＰＤＡ、電子手帳、リモコンのいずれにも適用することができるように構成することで、利用者の趣向に合わせて多種多様のバリエーションで使用することが可能となる。
【００７８】
請求項５に記載の発明は、上記携帯型電子機器が、カメラ機能やデジタルカメラ等の撮像手段を備えて構成することで、撮影した画像も１１０番や特定連絡先に自動的に送信することができ、捜査のための有力な証拠として利用することができる。
【００７９】
請求項６に記載の発明は、上記撮像手段を備えた携帯型電子機器又はアタッチメントには、請求項６に記載したように、前記撮像手段を備えた携帯型電子機器又はアタッチメントには、シャッターボタン又はアタッチメント側スイッチと、該シャッターボタン又はアタッチメント側スイッチをオンすると作動するタイマー回路と、このタイマー回路が作動し一定時間経過後に掛け声を発生させる音声回路と、この音声回路により掛け声が発せられた後、一定時間経過後、撮像手段のシャッターを作動させて撮像するシャッター作動回路と、を含んで構成したので、シャッターボタンを押すことで、撮影開始前に「ハイ、チーズ」や「１＋１は」といった撮影時に用いられる慣用語を携帯型電子機器が自動的に発するため、撮影の最良のタイミングを捕らえることが容易となる。
【００８０】
請求項７に記載の発明では、前記ライトを、携帯型電子機器に固着される基台部と、この基台部から延設された可撓軸部と、この可撓軸部の先端部に配設されたライトと、を有して構成したので、光を所望の角度に簡単にセットすることができ、大掛かりなライトアップ機材を用いることなく、所望の鮮明な画像を撮影することができる。この場合、光を顔の下方から照射することで、顔の輪郭が鮮明に映し出すことができ、女性の購買力を高める効果が得られる。
【００８１】
また、請求項８に記載の発明では、前記ライトのカバー部を、キャラクター或はキャラクターを模した外観若しくは動物、植物、幾何学形状を呈するように形成することができるので、趣向に合わせてアクセサリー感覚で楽しむことができる。
【００８２】
請求項９に記載の発明は、前記ライトを、複数のＬＥＤで構成したので、消費電力を抑えることができ、また、青色、赤色、緑色等のＬＥＤを組み合わせることで、任意の光彩を得ることもできる。
【００８３】
請求項１０に記載の発明は、前記複数のＬＥＤで構成されたライトを、全灯状態と待機状態と消灯状態をスイッチにより選択可能に構成したので、待機状態のときには、複数のＬＥＤの１又は数個を点灯させることで、バックの中等に携帯型電子機器を収納されていても容易に探し出すことができる。
【００８４】
請求項１１に記載の発明は、前記ライトのカバー部の背面部、即ち、背面部のカバー側内部を、鏡面仕上げで構成したので、ライトの光をこの鏡面に全反射させて光を一定方向へと集光照射させることができると共に、上記鏡面仕上げ部を背面部の外側面にも施すことで、手鏡として利用することができる。
【００８５】
請求項１２に記載した発明では、上記ライトを、携帯型電子機器に固着される基台部と、この基台部から延設された可撓性を有する複数本の光ファイバ束で構成したので、小さな光源であっても、これを殆ど減光させることなく目的の方向へ集光させて照射することができ、また、光ファイバ束全体を光らせることで、アクセサリーとしても楽しむことも可能である。
【００８６】
請求項１３に記載の発明は、前記アタッチメント本体を、基台部の下端部から延設された可撓軸部と、この可撓軸部の先端部に形成されたアンテナ固定部と、を有して構成したので、ライトを携帯型電子機器の上側から照らすことができるため、日常的な照明角度を得ることができ、自然で鮮明な画像を得ることができる。
【００８７】
請求項１４に記載の発明では、上記アンテナ固定部の下端部をパイプ状に形成し、該下端部には、割り溝を形成して構成したので、この割り溝部が拡縮自在であるため、本アタッチメントの着脱作業を簡易に行うことができる。
【００８８】
請求項１５に記載の発明では、上記アンテナ固定部の下端部に、密着性を有するゴム或は軟質プラスチックを内装して構成したので、本アタッチメントとアンテナとの密着性を高め、不用意な抜けを確実に防止することができ、アタッチメントの装着状態をより強固なものとすることができる。
【００８９】
請求項１６に記載の発明では、前記可撓軸部をアンテナとし、アンテナ固定部の下端部を携帯型電子機器のアンテナ取り付け部に直接取り付け可能に構成したので、アタッチメントをアンテナに取り付けた場合に、アンテナの電波受信能力が低下するのを防止することができる。
【００９０】
請求項１７に記載の発明では、前記アタッチメント本体に、特定電話番号の記憶回路を配設したので、防犯ブザーが一定時間、例えば１５秒程度作動した後は、自動的に上記記憶回路に記憶されている電話番号、例えば１１０番や親・兄弟・友人等の電話番号に、当該携帯型電子機器所有者の情報や撮影された画像等の緊急情報を自動的に送信することができる。
【００９１】
請求項１８に記載の発明は、本アタッチメントを、携帯型電子機器に装着する１個と、他の任意のもの、例えば、バックやペット等に装着する１個の合計２個を一組とし、一方から他方の防犯ブザーを作動させることができるように相互通信可能に構成したので、例えば、バックがひったくられた場合やペットを見失った場合、他方のアタッチメントのブザーを鳴らすことで、目的物の所在を確認することができ、また、周囲の人々に注意を喚起させることができる。
【００９２】
請求項１９に記載の発明は、前記アタッチメントを携帯型電子機器に装着する１個と、他の任意のものに装着する１個の合計２個を一組とし、これらが一定距離離間したときに双方の防犯ブザーを自動的に作動させることができるように相互通信可能に構成したので、黙っていても他方のアタッチメントが一定範囲以上離れると防犯ブザーが鳴るため、目的物の所在を自然に確認することができ、また、周囲の人々に注意を喚起させることができる。
【００９３】
請求項２０に記載の発明は、前記防犯ブザーとライトの作動を制御するスイッチを、アタッチメント本体にスライド自在に配置し、該スイッチは、スライド方向に沿って、全ての作動をオフの状態に保持するＯＦＦ位置、ライトを省電力状態で点灯させる待機位置、ライトを全灯状態に点灯させるライト位置、防犯ブザーを鳴らすブザー位置、ライトをフラッシュ状態で連続的に点滅させると同時に防犯ブザーを鳴らすブザー／フラッシュ位置へとスライド可能に構成したので、非常時には、スイッチをスライド方向に一気にスライドさせることで、フラッシュを連続的に照射して相手の目をくらませることができると同時に、防犯ブザーを鳴らすことで、ひったくり等の凶悪犯罪を有効に防止することができる。
【００９４】
請求項２１に記載の発明は、本アタッチメント本体を、携帯型電子機器本体だけではなく、携帯用ストラップに取り付け可能に構成したので、アクセサリー感覚で本アタッチメントを使用することができる。
【図面の簡単な説明】
【図１】この発明の実施の一形態例に係るアタッチメントとカメラ機能付き携帯電話機の分離斜視図である。
【図２】同携帯型電子機器用アタッチメントの別の外観構成図である。
【図３】同携帯型電子機器用アタッチメントの他の外観構成図である。
【図４】同携帯型電子機器用アタッチメントのさらに別の外観構成図である。
【図５】同携帯型電子機器用アタッチメントを携帯電話機用ストラップに取り付けた状態を示す外観構成図である。
【図６】同携帯型電子機器用アタッチメントのスイッチ構成例を示す説明図である。
【図７】同携帯型電子機器用アタッチメントの使用例を示す説明図である。
【図８】同携帯型電子機器用アタッチメントの音声発生回路例を示すフローチャートである。
【図９】同携帯型電子機器用アタッチメントをカメラ機能付き携帯電話機のアンテナに取り付ける例を示す分離斜視図である。
【符号の説明】
Ａ  アタッチメント
Ｂ  デジタルカメラ搭載携帯電話機
Ｄ  アンテナ
１  アタッチメント本体
２  防犯ブザー
３  ライト（豆電球）
３Ａ  ライト（ＬＥＤ）
４  スライドスイッチ
５  鏡面仕上げ部
６  接続部
７  透明カバー
８，８Ａ  可撓軸部
９  可撓軸部の下端部
９Ｂ  割り溝
１０  カメラ部
１１  シャッターボタン
１２  液晶表示部（ＬＣＤ表示部）
【図１】
2005020285.tif 000003
【図２】
2005020285.tif 000004
【図３】
2005020285.tif 000005
【図４】
2005020285.tif 000006
【図５】
2005020285.tif 000007
【図６】
2005020285.tif 000008
【図７】
2005020285.tif 000009
【図８】
2005020285.tif 000010
【図９】
2005020285.tif 000011